(57)【要約】【課題】この発明は、複数種類の圧縮音声ストリームをそれらの構造を利用して効率的に多重化することにより、外部出力する際の伝送ライン数の削減を図り、十分に実用に適するようにした音声出力装置及び音声出力方法を提供することを目的としている。【解決手段】フレーム単位で圧縮音声データと拡張データとを含む第１の圧縮音声ストリームが入力される第１の入力手段（２２）と、フレーム単位で圧縮音声データを含む第２の圧縮音声ストリームが入力される第２の入力手段（２６）と、第１の圧縮音声ストリームの拡張データ領域に第２の圧縮音声ストリームを挿入して多重化する多重化手段（２３）と、多重化された圧縮音声ストリームを所定の伝送形態で外部に出力する出力手段（３０）とを備える。【選択図】    図１
2008276876.tif 000002
【特許請求の範囲】
【請求項１】
フレーム単位で圧縮音声データと拡張データとを含む第１の圧縮音声ストリームが入力される第１の入力手段と、
前記フレーム単位で圧縮音声データを含む第２の圧縮音声ストリームが入力される第２の入力手段と、
前記第１の入力手段に入力された第１の圧縮音声ストリームの拡張データ領域に、前記第２の入力手段に入力された第２の圧縮音声ストリームを挿入して多重化する多重化手段と、
前記多重化手段で多重化された圧縮音声ストリームを所定の伝送形態で外部に出力する出力手段とを具備することを特徴とする音声出力装置。
【請求項２】
前記多重化手段は、１フレームを構成する第１の圧縮音声ストリームの拡張データ領域に、１フレーム分の第２の圧縮音声ストリームを挿入することを特徴とする請求項１記載の音声出力装置。
【請求項３】
前記多重化手段は、拡張データ領域に第２の圧縮音声ストリームが挿入された第１の圧縮音声ストリームのフレームの先頭に、ヘッダ情報及びサイズ情報を付加することを特徴とする請求項１記載の音声出力装置。
【請求項４】
前記多重化手段は、前記第１の圧縮音声ストリームに含まれる圧縮音声データを復号した音声信号と、前記前記第２の圧縮音声ストリームに含まれる圧縮音声データを復号した音声信号とをミクシングするためのミクシング係数を、前記第１の圧縮音声ストリームの拡張データ領域に、前記第２の圧縮音声ストリームとともに挿入することを特徴とする請求項１記載の音声出力装置。
【請求項５】
前記多重化手段は、非圧縮音声データを入力して、前記第１の圧縮音声ストリームの拡張データ領域に、前記第２の圧縮音声ストリームとともに挿入することを特徴とする請求項１記載の音声出力装置。
【請求項６】
前記多重化手段は、前記第１の圧縮音声ストリームの拡張データ領域に、前記第１及び第２の圧縮音声ストリームの１フレーム分の再生時間に相当するデータ量の非圧縮音声データを、前記第２の圧縮音声ストリームとともに挿入することを特徴とする請求項５記載の音声出力装置。
【請求項７】
前記多重化手段は、前記第１の圧縮音声ストリームに含まれる圧縮音声データを復号した音声信号と、前記前記第２の圧縮音声ストリームに含まれる圧縮音声データを復号した音声信号と、前記非圧縮音声データを復号した音声信号とをミクシングするためのミクシング係数を、前記第１の圧縮音声ストリームの拡張データ領域に、前記第２の圧縮音声ストリーム及びミクシング係数とともに挿入することを特徴とする請求項５記載の音声出力装置。
【請求項８】
フレーム単位で圧縮音声データと拡張データとを含む第１の圧縮音声ストリームを入力する第１の工程と、
前記フレーム単位で圧縮音声データを含む第２の圧縮音声ストリームを入力する第２の工程と、
前記第１の工程で入力された第１の圧縮音声ストリームの拡張データ領域に、前記第２の工程で入力された第２の圧縮音声ストリームを挿入して多重化する第３の工程と、
前記第３の工程で多重化された圧縮音声ストリームを所定の伝送形態で外部に出力する第４の工程とを具備することを特徴とする音声出力方法。
【請求項９】
前記請求項１に記載した音声出力装置から出力された圧縮音声ストリームを受信する受信手段と、
前記受信手段で受信した圧縮音声ストリームから、前記第１の圧縮音声ストリームに含まれる圧縮音声データと前記第２の圧縮音声ストリームに含まれる圧縮音声データとを分離する分離手段と、
前記分離手段で分離された各圧縮音声データをそれぞれ復号化する復号手段とを具備することを特徴とする音声受信装置。
【発明の詳細な説明】
【技術分野】
【０００１】
この発明は、圧縮音声ストリームを出力する音声出力装置及び音声出力方法の改良に関する。
【背景技術】
【０００２】
周知のように、近年では、デジタル記録媒体としてＤＶＤ（digital versatile disk）等の光ディスクが普及している。そして、現在では、ＤＶＤよりもさらに高密度記録が可能な、いわゆるＨＤ（high definition）−ＤＶＤと称されるハイビジョン対応の次世代ＤＶＤ規格も完成している。
【０００３】
この種の光ディスクでは、映像や音声等のデータを圧縮して記録している。このため、この光ディスクを再生する光ディスク再生装置では、光ディスクから読み取った圧縮映像や圧縮音声等のストリームを復号しアナログ化して出力することにより、外付けのモニタやスピーカによる映像表示や音声再生を行なえるようにしている。
【０００４】
一方、このような光ディスク再生装置にあっては、復号前の圧縮音声ストリームを外部に出力可能とすることが考えられている。これにより、圧縮音声ストリームを復号する機能を備えたＡＶアンプ等を外付けすることによって、多チャンネルで高音質な音声再生を行なうことが可能となる。
【０００５】
ところで、次世代ＤＶＤ規格では、メインオーディオとなる音声データの他に、例えばサブオーディオやエフェクトオーディオ等となる各種の音声データの取り扱いを規定している。このため、光ディスク再生装置としては、複数種類の圧縮音声ストリームを外部出力する際の効率化が要求されることになる。
【０００６】
特許文献１には、予め決められた送出レートに近いビットレートでデータストリームを出力するために、ＭＰＥＧ（moving picture experts group）２−ＴＳ（transport stream）のＰＣＲ（program clock reference）パケットの空き領域に修正情報を挿入するようにした構成が開示されている。
【特許文献１】特開２００１−２５１２６６号公報
【発明の開示】
【発明が解決しようとする課題】
【０００７】
そこで、この発明は上記事情を考慮してなされたもので、複数種類の圧縮音声ストリームをそれらの構造を利用して効率的に多重化することにより、外部出力する際の伝送ライン数の削減を図り、十分に実用に適するようにした音声出力装置及び音声出力方法を提供することを目的とする。
【課題を解決するための手段】
【０００８】
この発明に係る音声出力装置は、フレーム単位で圧縮音声データと拡張データとを含む第１の圧縮音声ストリームが入力される第１の入力手段と、フレーム単位で圧縮音声データを含む第２の圧縮音声ストリームが入力される第２の入力手段と、第１の入力手段に入力された第１の圧縮音声ストリームの拡張データ領域に、第２の入力手段に入力された第２の圧縮音声ストリームを挿入して多重化する多重化手段と、多重化手段で多重化された圧縮音声ストリームを所定の伝送形態で外部に出力する出力手段とを備えるようにしたものである。
【０００９】
また、この発明に係る音声出力方法は、フレーム単位で圧縮音声データと拡張データとを含む第１の圧縮音声ストリームを入力する第１の工程と、フレーム単位で圧縮音声データを含む第２の圧縮音声ストリームを入力する第２の工程と、第１の工程で入力された第１の圧縮音声ストリームの拡張データ領域に、第２の工程で入力された第２の圧縮音声ストリームを挿入して多重化する第３の工程と、第３の工程で多重化された圧縮音声ストリームを所定の伝送形態で外部に出力する第４の工程とを備えるようにしたものである。
【発明の効果】
【００１０】
上記した発明によれば、第１の圧縮音声ストリームの拡張データ領域に第２の圧縮音声ストリームを挿入して１本の圧縮音声ストリームを生成する、つまり、複数種類の圧縮音声ストリームをそれらの構造を利用して効率的に多重化するようにしたので、外部出力する際の伝送ライン数の削減を図って、十分に実用に適するものとすることができる。
【発明を実施するための最良の形態】
【００１１】
以下、この発明の実施の形態について図面を参照して詳細に説明する。図１は、この実施の形態で説明するディスク再生装置１１の概略を示している。このディスク再生装置１１は、例えばＨＤ−ＤＶＤ等の光ディスク１２を装着し、その記録データを読み取るディスクドライブ部１３を備えている。
【００１２】
そして、ディスクドライブ部１３により光ディスク１２から読み取られたデータは、トラックバッファ１４に一旦格納された後、デマルチプレクサ部１５に供給される。このデマルチプレクサ部１５は、入力されたデータを、圧縮映像ストリームと、メインオーディオ及びサブオーディオとなる２つの圧縮音声ストリームとに分離している。
【００１３】
このうち、圧縮映像ストリームは、複数のビデオパック（Ｖ＿ＰＣＫ）で構成されている。この圧縮映像ストリームは、映像入力バッファ１６に格納された後、映像デコーダ１７に供給されて復号化処理が施される。そして、復号化された映像データは、Ｄ／Ａ（digital／analog）変換部１８に供給されてアナログの映像データに変換された後、映像出力端子１９を介して外部に取り出され、例えば図示しないモニタによる映像表示に供される。
【００１４】
また、上記デマルチプレクサ部１５で分離されたメインオーディオとなる第１の圧縮音声ストリームは、複数のメインオーディオパック（ＭＡ＿ＰＣＫ）で構成されている。この圧縮音声ストリームは、主音声入力バッファ２０に格納された後、ＥＳ（elementary stream）抽出部２１に供給されてメインオーディオＥＳ（ＭＡ＿ＥＳ）がフレーム単位で抽出される。そして、このＥＳ抽出部２１から出力されるメインオーディオＥＳ（ＭＡ＿ＥＳ）は、主音声バッファ２２に格納された後、多重化処理部２３に供給される。
【００１５】
さらに、上記デマルチプレクサ部１５で分離されたサブオーディオとなる第２の圧縮音声ストリームは、複数のサブオーディオパック（ＳＡ＿ＰＣＫ）で構成されている。この圧縮音声ストリームは、副音声入力バッファ２４に格納された後、ＥＳ抽出部２５に供給されてサブオーディオＥＳ（ＳＡ＿ＥＳ）がフレーム単位で抽出される。そして、このＥＳ抽出部２５から出力されるサブオーディオＥＳ（ＳＡ＿ＥＳ）は、副音声バッファ２６に格納された後、上記多重化処理部２３に供給される。
【００１６】
また、このディスク再生装置１１は、音声入力部２７を備えている。この音声入力部２７は、例えばリムーバブルな情報記録媒体やネットワークサーバ等から、エフェクトオーディオとなる非圧縮（ＰＣＭ：pulse code modulation）の音声データ（ＥＦ＿ＰＣＭ）を取得している。この音声入力部２７で取得された非圧縮音声データ（ＥＦ＿ＰＣＭ）は、エフェクトバッファ２８に格納された後、上記多重化処理部２３に供給される。
【００１７】
さらに、この多重化処理部２３には、係数設定部２９に設定されているミクシング係数が供給されている。このミクシング係数は、例えば、再生時に光ディスク１１から取得するもので、後述するＡＶアンプにおいて、メインオーディオ、サブオーディオ及びエフェクトオーディオをミクシングする際に利用されるものである。
【００１８】
そして、上記多重化処理部２３は、主音声バッファ２２に格納されたメインオーディオＥＳ（ＭＡ＿ＥＳ）と、副音声バッファ２６に格納されたサブオーディオＥＳ（ＳＡ＿ＥＳ）と、エフェクトバッファ２８に格納された非圧縮音声データ（ＥＦ＿ＰＣＭ）と、係数設定部２９から供給されるミクシング係数とを多重化して１本の圧縮音声ストリームを生成する。
【００１９】
この多重化処理部２３で生成された圧縮音声ストリームは、インターフェース部３０により例えばＨＤＭＩ（high definition multimedia interface）規格等に準拠した伝送形態に変換された後、デジタル音声出力端子３１を介して外部に取り出される。このデジタル音声出力端子３１には、例えば圧縮音声ストリームを復号する機能を備えたＡＶアンプ等が接続され、多チャンネルで高音質な音声再生が行なえるようになっている。
【００２０】
なお、上記映像デコーダ１７と多重化処理部２３とは、同期制御部３２により、圧縮映像ストリームの出力タイミングと圧縮音声ストリームの出力タイミングとが制御されている。これにより、最終的に、表示される映像と再生される音声とが同期するように制御されることになる。
【００２１】
ここで、このディスク再生装置１１は、上記した再生動作を含むその全ての動作を制御部３３によって統括的に制御されている。この制御部３３は、ＣＰＵ（central processing unit）等を内蔵しており、操作部３４からの操作情報、または、リモートコントローラ３５から送出され受光部３６で受信した操作情報を受け、その操作内容が反映されるように各部をそれぞれ制御している。
【００２２】
この場合、制御部３３は、メモリ部３７を利用している。このメモリ部３７としては、主として、制御部３３のＣＰＵが実行するための制御プログラムを格納したＲＯＭ（read only memory）と、該ＣＰＵに作業エリアを提供するためのＲＡＭ（random access memory）と、各種の設定情報及び制御情報等を格納するための不揮発性メモリとを有している。
【００２３】
ここで、上記多重化処理部２３による多重化処理動作について説明する。すなわち、上記主音声バッファ２２に格納された圧縮音声ストリームであるメインオーディオＥＳ（ＭＡ＿ＥＳ）は、図２（ａ）に示すように、同期情報であるSyncwordを先頭に、ストリーム情報、圧縮データ及び拡張データとから１フレームが構成されている。
【００２４】
また、上記副音声バッファ２６に格納された圧縮音声ストリームであるサブオーディオＥＳ（ＳＡ＿ＥＳ）も、図２（ｂ）に示すように、同期情報であるSyncwordを先頭に、ストリーム情報、圧縮データ及び拡張データとから１フレームが構成されている。
【００２５】
そして、メインオーディオＥＳ（ＭＡ＿ＥＳ）及びサブオーディオＥＳ（ＳＡ＿ＥＳ）共に、ストリーム情報領域には、圧縮データに関する種々の情報や１フレーム分の圧縮音声ストリームのサイズ情報等が格納される。また、圧縮データ領域には、実際の復号対象となる符号化音声データが格納される。さらに、拡張データ領域は、通常、復号処理の対象外となっており、復号の際には読み捨てられる領域となっている。
【００２６】
また、上記エフェクトバッファ２８に格納されたエフェクトオーディオとなる非圧縮音声データ（ＥＦ＿ＰＣＭ）は、図２（ｃ）に示すように、連続的に連なっているが、メインオーディオＥＳ（ＭＡ＿ＥＳ）及びサブオーディオＥＳ（ＳＡ＿ＥＳ）の１フレーム分の再生時間に相当するデータ量を１単位として多重化処理に供される。
【００２７】
そして、上記多重化処理部２３では、図３に示すように、１フレームを構成するメインオーディオＥＳ（ＭＡ＿ＥＳ）の拡張データ領域に、１フレームを構成するサブオーディオＥＳ（ＳＡ＿ＥＳ）と１フレーム分の再生時間に相当する非圧縮音声データ（ＥＦ＿ＰＣＭ）とミクシング係数とを挿入し、メインオーディオＥＳ（ＭＡ＿ＥＳ）のストリーム情報内にあるサイズ情報を書き換える。なお、例えばＣＲＣ（cyclic redundancy check）等のエラーチェックに使用するためのデータが存在するような圧縮音声ストリームである場合には、このデータを再計算して書き換える必要がある。
【００２８】
その後、多重化処理部２３は、１フレームを構成するメインオーディオＥＳ（ＭＡ＿ＥＳ）に対し、その先頭に所定のヘッダ及びサイズ情報を付加するとともに、その末尾にパディングデータを付加する。多重化処理部２３は、以上のような多重化処理を、メインオーディオＥＳ（ＭＡ＿ＥＳ）の連続する各フレームに対してそれぞれ施し、上記インターフェース部３０に出力している。
【００２９】
上記した実施の形態によれば、メインオーディオＥＳ（ＭＡ＿ＥＳ）の拡張データ領域に、サブオーディオＥＳ（ＳＡ＿ＥＳ）と非圧縮音声データ（ＥＦ＿ＰＣＭ）とミクシング係数とを挿入して１本の圧縮音声ストリームを生成する、つまり、複数種類の圧縮音声ストリームをそれらの構造を利用して効率的に多重化するようにしたので、外部出力する際の伝送ライン数の削減を図って、十分に実用に適するものとすることができる。
【００３０】
図４及び図５は、上記したディスク再生装置１１の多重化処理動作をまとめたフローチャートを示している。すなわち、処理が開始（ステップＳ１）され、ステップＳ２で、再生開始が要求されると、制御部３３は、ステップＳ３で、再生すべき圧縮音声ストリームが主音声バッファ２２及び副音声バッファ２６に存在しているか否かを判別する。
【００３１】
そして、存在していないと判断された場合（ＮＯ）、制御部３３は、ステップＳ４で、光ディスク１１からデータを読み取らせ、ステップＳ５で、読み取ったデータからミクシング係数を取得して係数設定部２９に設定する。
【００３２】
さらに、制御部３３は、ステップＳ６で、読み取ったデータからメインオーディオパック（ＭＡ＿ＰＣＫ）及びサブオーディオパック（ＳＡ＿ＰＣＫ）の分離処理を行なわせ、ステップＳ７で、メインオーディオＥＳ（ＭＡ＿ＥＳ）及びサブオーディオＥＳ（ＳＡ＿ＥＳ）を抽出させ、主音声バッファ２２及び副音声バッファ２６に取得させる。
【００３３】
その後、または、上記ステップＳ３で再生すべき圧縮音声ストリームが主音声バッファ２２及び副音声バッファ２６に存在していると判断された場合（ＹＥＳ）、制御部３３は、ステップＳ８で、出力開始時間に達したか否かを判別し、達したと判断された場合（ＹＥＳ）、ステップＳ９で、主音声バッファ２２のメインオーディオＥＳ（ＭＡ＿ＥＳ）を多重化処理部２３に取得させる。
【００３４】
次に、制御部３３は、ステップＳ１０で、副音声バッファ２６のサブオーディオＥＳ（ＳＡ＿ＥＳ）を多重化処理部２３に取得させ、ステップＳ１１で、エフェクトバッファ２８の非圧縮音声データ（ＥＦ＿ＰＣＭ）を多重化処理部２３に取得させる。
【００３５】
そして、制御部３３は、ステップＳ１２で、メインオーディオＥＳ（ＭＡ＿ＥＳ）の拡張データ領域に、サブオーディオＥＳ（ＳＡ＿ＥＳ）と非圧縮音声データ（ＥＦ＿ＰＣＭ）とミクシング係数とを挿入させ、ステップＳ１３で、メインオーディオＥＳ（ＭＡ＿ＥＳ）のストリーム情報に含まれるサイズ情報を変更させる。
【００３６】
その後、制御部３３は、ステップＳ１４で、メインオーディオＥＳ（ＭＡ＿ＥＳ）にヘッダ及びサイズ情報とパディングデータとを付加させ、ステップＳ１５で、インターフェース部３０を介して出力端子３１から外部に出力させた後、ステップＳ３の処理に戻される。
【００３７】
次に、図６は、図３に示したように、メインオーディオＥＳ（ＭＡ＿ＥＳ）、サブオーディオＥＳ（ＳＡ＿ＥＳ）、非圧縮音声データ（ＥＦ＿ＰＣＭ）及びミクシング係数が多重化された１本の圧縮音声ストリームが入力されるＡＶアンプ３８の一例を示している。
【００３８】
すなわち、このＡＶアンプ３８は、上記ディスク再生装置１１のデジタル音声出力端子３１からＨＤＭＩ規格に準拠した伝送形態で出力された圧縮音声ストリームが入力されるデジタル音声入力端子３９を備えている。
【００３９】
そして、このデジタル音声入力端子３９に入力された圧縮音声データは、ＨＤＭＩ規格に準拠したインターフェース部４０で受信され、ヘッダ検出部４１に供給されてヘッダ及びサイズ情報が検出された後、圧縮データ抽出部４２に供給される。この圧縮データ抽出部４２は、ヘッダ検出部４１で検出されたサイズ情報に基づいて１フレーム分の圧縮音声ストリームを抽出し、データ分離部４３に出力している。
【００４０】
このデータ分離部４３は、入力された１フレーム分の圧縮音声ストリームから、メインオーディオＥＳ（ＭＡ＿ＥＳ）、サブオーディオＥＳ（ＳＡ＿ＥＳ）、非圧縮音声データ（ＥＦ＿ＰＣＭ）及びミクシング係数を分離する。
【００４１】
このうち、メインオーディオＥＳ（ＭＡ＿ＥＳ）は、主音声入力バッファ４４に格納された後、その圧縮データが主音声復号部４５で復号される。そして、この主音声復号部４５から出力されるメインオーディオデータは、主音声バッファ４６に格納された後、ミクシング部４７に供給される。
【００４２】
また、上記データ分離部４３で分離されたサブオーディオＥＳ（ＳＡ＿ＥＳ）は、副音声入力バッファ４８に格納された後、その圧縮データが副音声復号部４９で復号される。そして、この副音声復号部４９から出力されるサブオーディオデータは、副音声バッファ５０に格納された後、上記ミクシング部４７に供給される。
【００４３】
さらに、上記データ分離部４３で分離された非圧縮音声データ（ＥＦ＿ＰＣＭ）は、エフェクトバッファ５１に格納された後、上記ミクシング部４７に供給される。また、データ分離部４３で分離されたミクシング係数は、係数保持部５１に格納された後、上記ミクシング部４７に供給される。
【００４４】
そして、上記ミクシング部４７では、主音声バッファ４６に格納されたメインオーディオデータと、副音声バッファ５０に格納されたサブオーディオデータと、エフェクトバッファ５１に格納された非圧縮音声データ（ＥＦ＿ＰＣＭ）とを、係数保持部５２に保持されたミクシング係数に基づいて混合し、音声データを生成する。このミクシング部４７で生成された音声データは、Ｄ／Ａ変換部５３に供給されてアナログ化された後、音声出力端子５４を介して外部のスピーカ（図示せず）による音声再生に供される。
【００４５】
ここで、このＡＶアンプ３８は、上記した音声再生動作を含むその全ての動作を制御部５５によって統括的に制御されている。この制御部５５は、ＣＰＵ等を内蔵しており、操作部５６からの操作情報、または、リモートコントローラ５７から送出され受光部５８で受信した操作情報を受けて、その操作内容が反映されるように各部をそれぞれ制御している。
【００４６】
この場合、制御部５５は、メモリ部５９を利用している。このメモリ部５９としては、主として、制御部４３のＣＰＵが実行するための制御プログラムを格納したＲＯＭと、該ＣＰＵに作業エリアを提供するためのＲＡＭと、各種の設定情報及び制御情報等を格納するための不揮発性メモリとを有している。
【００４７】
図７は、上記したＡＶアンプ３８の音声再生処理動作をまとめたフローチャートを示している。この音声再生処理は、ＡＶアンプ３８のデジタル音声入力端子３９に圧縮音声ストリームが供給されることによって、開始（ステップＳ２０）される。すると、制御部５５は、ステップＳ２１で、ヘッダ検出部４１により、ヘッダ及びサイズ情報が検出されたか否かを判別し、検出されたと判断された場合（ＹＥＳ）、ステップＳ２２で、検出されたヘッダ及びサイズ情報からサイズ情報を取得する。
【００４８】
その後、制御部５５は、ステップＳ２３で、圧縮データ抽出部４２により、サイズ情報に基づいて１フレーム分のメインオーディオＥＳ（ＭＡ＿ＥＳ）を抽出し、ステップＳ２４で、データ分離部４３により、抽出されたメインオーディオＥＳ（ＭＡ＿ＥＳ）を、その圧縮データと、拡張データとに分離する。
【００４９】
さらに、制御部５５は、ステップＳ２５で、データ分離部４３により、拡張データからサブオーディオＥＳ（ＳＡ＿ＥＳ）、非圧縮音声データ（ＥＦ＿ＰＣＭ）及びミクシング係数をそれぞれ分離する。
【００５０】
そして、制御部５５は、ステップＳ２６で、主音声復号部４５により、メインオーディオＥＳ（ＭＡ＿ＥＳ）の圧縮データを復号し、ステップＳ２７で、副音声復号部４９により、サブオーディオＥＳ（ＳＡ＿ＥＳ）の圧縮データを復号する。
【００５１】
その後、制御部５５は、ステップＳ２８で、ミクシング部４７により、メインオーディオデータとサブオーディオデータと非圧縮音声データ（ＥＦ＿ＰＣＭ）とをミクシング係数に基づいて混合し、ステップＳ２９で、混合された音声データをアナログ化して出力した後、ステップＳ２１の処理に戻される。
【００５２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５３】
【図１】この発明の実施の形態を示すもので、ディスク再生装置の概略を説明するために示すブロック構成図。
【図２】同実施の形態におけるディスク再生装置で取り扱う圧縮音声ストリーム及び非圧縮音声データの構造を説明するために示す図。
【図３】同実施の形態におけるディスク再生装置の多情化処理部での多重化処理動作を説明するために示す図。
【図４】同実施の形態におけるディスク再生装置の多重化処理動作の一部を説明するために示すフローチャート。
【図５】同実施の形態におけるディスク再生装置の多重化処理動作の残部を説明するために示すフローチャート。
【図６】同実施の形態におけるＡＶアンプの一例を説明するために示すブロック構成図。
【図７】同実施の形態におけるＡＶアンプの音声再生処理動作を説明するために示すフローチャート。
【符号の説明】
【００５４】
１１…ディスク再生装置、１２…光ディスク、１３…ディスクドライブ部、１４…トラックバッファ、１５…デマルチプレクサ部、１６…映像入力バッファ、１７…映像デコーダ、１８…Ｄ／Ａ変換部、１９…映像出力端子、２０…主音声入力バッファ、２１…ＥＳ抽出部、２２…主音声バッファ、２３…多重化処理部、２４…副音声入力バッファ、２５…ＥＳ抽出部、２６…副音声バッファ、２７…音声入力部、２８…エフェクトバッファ、２９…係数設定部、３０…インターフェース部、３１…デジタル音声出力端子、３２…同期制御部、３３…制御部、３４…操作部、３５…リモートコントローラ、３６…受光部、３７…メモリ部、３８…ＡＶアンプ、３９…デジタル音声入力端子、４０…インターフェース部、４１…ヘッダ検出部、４２…圧縮データ抽出部、４３…データ分離部、４４…主音声入力バッファ、４５…主音声復号部、４６…主音声バッファ、４７…ミクシング部、４８…副音声入力バッファ、４９…副音声復号部、５０…副音声バッファ、５１…エフェクトバッファ、５２…係数保持部、５３…Ｄ／Ａ変換部、５４…音声出力端子、５５…制御部、５６…操作部、５７…リモートコントローラ、５８…受光部、５９…メモリ部。
【図１】
2008276876.tif 000003
【図２】
2008276876.tif 000004
【図３】
2008276876.tif 000005
【図４】
2008276876.tif 000006
【図５】
2008276876.tif 000007
【図６】
2008276876.tif 000008
【図７】
2008276876.tif 000009